(57)【特許請求の範囲】
【請求項１】
開口部を有する筐体と、
前記筐体の内側に向かって突出する１以上の押し子を含み、１以上の貫通孔または１以上の切欠きを有し、前記開口部を前記１以上の押し子が貫通するように配置されるキー部材と、
前記筐体の内側において前記１以上の押し子の各々に対向するように配置される１以上のスイッチと、
前記１以上の押し子の各々と前記１以上のスイッチの各々との間に配置される第１防水部材と、
前記筐体に固定された１以上の軸部材とを備え、
前記１以上の軸部材の各々は、前記キー部材の前記筐体に対する相対的な変位の一部を制限するように、前記１以上の貫通孔または前記１以上の切欠きのいずれかに進入しており、前記軸部材の少なくとも一部にネジが設けられており、前記軸部材のうちネジが設けられている部分の少なくとも一部が前記筐体にねじ込まれている、電子機器。
【請求項２】
前記１以上の軸部材の各々の長手方向は、前記１以上の押し子の進退方向に対して垂直となっている、請求項１に記載の電子機器。
【請求項３】
前記押し子の数は２つであり、前記貫通孔または前記切欠きの数は１つであり、前記貫通孔または前記切欠きは、２つの前記押し子の間にある、請求項１または２に記載の電子機器。
【請求項４】
前記第１防水部材は袋状となっており、前記１以上の押し子の各々に前記第１防水部材が被せられている、請求項１から３のいずれかに記載の電子機器。
【請求項５】
前記軸部材および前記筐体に接するように第２防水部材が配置されている、請求項１から４のいずれかに記載の電子機器。
【請求項６】
前記筐体は、単一部品によって構成されている、請求項１から５のいずれかに記載の電子機器。
【請求項７】
前記軸部材は、前記キー部材を貫通する状態で前記筐体に固定されている、請求項１から６のいずれかに記載の電子機器。
【発明の詳細な説明】
【技術分野】
【０００１】
本開示は、電子機器に関するものである。
【背景技術】
【０００２】
防水構造を有する電子機器の一例が、特開２０１４−１２０２０３号公報（特許文献１）に記載されている。
【先行技術文献】
【特許文献】
【０００３】
【特許文献１】特開２０１４−１２０２０３号公報
【発明の概要】
【発明が解決しようとする課題】
【０００４】
防水性能を有する電子機器において、筐体の限られたスペース内に操作キーを配置することが求められる場合がある。防水性能を確保しつつ操作キーを配置しようとすると、操作キーだけでなく防水のための部材も適切に配置しなければならないので、操作キーを不所望な向きに配置せざるを得なくなり、その結果、電子機器のデザインの自由度が制限されたり、操作キーが押しにくくなったりする場合があった。
【０００５】
そこで、本開示は、防水性能をある程度確保しつつ、筐体の限られたスペース内に操作キーが適切に配置された電子機器を提供することを目的とする。
【課題を解決するための手段】
【０００６】
上記目的を達成するため、本開示に基づく電子機器は、開口部を有する筐体と、上記筐体の内側に向かって突出する１以上の押し子を含み、１以上の貫通孔または１以上の切欠きを有し、上記開口部を上記１以上の押し子が貫通するように配置されるキー部材と、上記筐体の内側において上記１以上の押し子の各々に対向するように配置される１以上のスイッチと、上記１以上の押し子の各々と上記１以上のスイッチの各々との間に配置される第１防水部材と、上記筐体に固定された１以上の軸部材とを備える。上記１以上の軸部材の各々は、上記キー部材の上記筐体に対する相対的な変位の一部を制限するように、上記１以上の貫通孔または上記１以上の切欠きのいずれかに進入している。
【発明の効果】
【０００７】
本開示によれば、防水性能をある程度確保しつつ、筐体の限られたスペース内に操作キーが適切に配置された電子機器を実現することができる。
【図面の簡単な説明】
【０００８】
【図１】本開示に基づく実施の形態１における電子機器の斜視図である。
【図２】本開示に基づく実施の形態１における電子機器の分解図である。
【図３】図２においてキー部材の近傍を拡大した図である。
【図４】本開示に基づく実施の形態１における電子機器の第１の平面図である。
【図５】図４におけるＺ１部の拡大平面図である。
【図６】本開示に基づく実施の形態１における電子機器の第２の平面図である。
【図７】図６におけるＶＩＩ−ＶＩＩ線に関する矢視断面図である。
【図８】図６におけるＶＩＩＩ−ＶＩＩＩ線に関する矢視断面図である。
【図９】本開示に基づく実施の形態１における電子機器の、キー部材および軸部材のみを取り出して示す説明図である。
【図１０】本開示に基づく実施の形態２における電子機器の平面図である。
【図１１】図１０におけるＸＩ−ＸＩ線に関する矢視断面図である。
【図１２】本開示に基づく実施の形態３における電子機器の部分断面図である。
【図１３】本開示に基づく実施の形態４における電子機器に備わるキー部材の説明図である。
【図１４】本開示に基づく実施の形態１における電子機器に備わるキー部材および軸部材の組合せ部の部分平面図である。
【図１５】本開示に基づく実施の形態５における電子機器に備わるキー部材および軸部材の組合せ部の第１の例の部分平面図である。
【図１６】本開示に基づく実施の形態５における電子機器に備わるキー部材および軸部材の組合せ部の第２の例の部分平面図である。
【図１７】本開示に基づく実施の形態５における電子機器に備わるキー部材および軸部材の組合せ部の第３の例の部分平面図である。
【図１８】本開示に基づく実施の形態５における電子機器に備わるキー部材および軸部材の組合せ部の第４の例の部分平面図である。
【図１９】本開示に基づく実施の形態６における電子機器に備わるキー部材および軸部材の組合せ部の説明図である。
【図２０】本開示に基づく実施の形態１〜６における電子機器に適用しうる筐体とカバーガラスとの関係の一例を示す断面図である。
【発明を実施するための形態】
【０００９】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するとは限らず、図示された姿勢の中での相対的な上または下を意味する場合がある。
【００１０】
（実施の形態１）
（構成）
図１〜図９を参照して、本開示に基づく実施の形態１における電子機器について説明する。図１に、本実施の形態における電子機器１０１の外観を示す。電子機器１０１は、板状であり、上から見たときにはほぼ長方形となる外形を有する。電子機器１０１の主表面にはカバーガラス３が配置されていてよい。カバーガラス３は板状のガラス製部品であってよい。カバーガラス３の下にはディスプレイ９が配置されていてよい。電子機器１０１は筐体１を備える。筐体１とカバーガラス３とが組み合わさることによって、電子機器１０１の外殻の大部分が構成されている。筐体１の一方の辺にキー部材４が配置されている。キー部材４は、ユーザが押すためのものである。ユーザはキー部材４を押すことによって電子機器１０１を操作することができる。
【００１１】
電子機器１０１の分解図を図２に示す。筐体１は底面と側面とを有し、上側が開口している。筐体１の内部にインナーシャーシ２が配置され、さらにその上からカバーガラス３およびディスプレイ９が重ねられる。ディスプレイ９は、カバーガラス３の下に配置されており、カバーガラス３とインナーシャーシ２との間に位置する。ディスプレイ９は、たとえば液晶表示パネルであってよい。インナーシャーシ２の一方の側面にフレキシブル基板６が配置されている。筐体１の側面にキー部材４および第１防水部材５が配置される。図２におけるキー部材４の近傍を拡大したところを図３に示す。
【００１２】
電子機器１０１は、開口部１ａを有する筐体１と、筐体１の内側に向かって突出する１以上の押し子４１を含み、１以上の貫通孔または１以上の切欠きを有し、開口部１ａを１以上の押し子４１が貫通するように配置されるキー部材４と、筐体１の内側において１以上の押し子４１の各々に対向するように配置される１以上のスイッチ７と、１以上の押し子４１の各々と１以上のスイッチ７の各々との間に配置される第１防水部材５と、筐体１に固定された１以上の軸部材８とを備える。
【００１３】
キー部材４は、たとえば樹脂で形成されていてもよい。本実施の形態では、キー部材４は、「１以上の貫通孔または１以上の切欠き」の一例として、貫通孔４３を有する。本実施の形態では、キー部材４は、突起４２を備えており、貫通孔４３は突起４２に設けられている。本実施の形態では、キー部材４は、「１以上の押し子４」の一例として２つの押し子４１を有する。本実施の形態では、「１以上のスイッチ７」の一例として２つのスイッチ７が筐体１の内側に配置されている。２つのスイッチ７は、フレキシブル基板６の表面に配置されている。
【００１４】
本実施の形態では、電子機器１０１は、「１以上の軸部材８」の一例として１本の軸部材８を備える。１以上の軸部材８の各々は、キー部材４の筐体１に対する相対的な変位の一部を制限するように、上記１以上の貫通孔または上記１以上の切欠きのいずれかに進入している。軸部材８は、たとえば金属で形成されていてもよい。軸部材８は、ピンであってもよい。
【００１５】
第１防水部材５は、たとえばパッキンラバーと呼ばれるものであってもよい。
開口部１ａは、キー部材４の大きさよりひとまわり大きいサイズとなっている。筐体１は内側に切欠き１ｂを有している。図３では見えていないが、切欠き１ｂの底面には軸部材８を受け入れる穴が設けられている。軸部材８は、キー部材４の貫通孔４３を通過しつつ、矢印９３で示すように筐体１の切欠き１ｂの中の穴に挿入されており、その結果、軸部材８は筐体１に対して固定されている。
【００１６】
図３に示すように、キー部材４の押し子４１は矢印９１に示すように第１防水部材５に挿入される。第１防水部材５は、矢印９２に示すように開口部１ａを通じて筐体１に取り付けられる。キー部材４および第１防水部材５は、いずれも筐体１の外側から開口部１ａを通じて取り付けられる。
【００１７】
電子機器１０１を平面的に見たところを図４に示す。図４では左側にキー部材４が配置されている。図４では、図１に比べて筐体１の外形の縦横比が異なっているように見えるが、電子機器１０１の筐体１の外形の縦横比はどのようなものであってよい。図４におけるＺ１部を拡大したところを図５に示す。図５では、キー部材４周辺のいくつかの部品を図示省略している。たとえば第１防水部材５は図示省略されている。フレキシブル基板６は、インナーシャーシ２の端面に配置されている。押し子４１の各々がスイッチ７と対向している。キー部材４は、軸部材８を中心に矢印９０に示すように回動可能なように支持されている。実際には、キー部材４が回動する範囲は一定角度の範囲内に限られる。図５に示した状態では、２つの押し子４１はいずれもスイッチ７を押圧していない。
【００１８】
電子機器１０１を平面的に見たところを再び図６に示す。図６におけるＶＩＩ−ＶＩＩ線に関する矢視断面図を図７に示す。図６におけるＶＩＩＩ−ＶＩＩＩ線に関する矢視断面図を図８に示す。
【００１９】
図７に示すように、第１防水部材５は、袋状の部分を含んでいてもよい。図７に示した例では、第１防水部材５の袋状の部分が押し子４１に被さっている。第１防水部材５は、袋状の部分の外周面に凸部を有していてもよい。この凸部は第１防水部材５の袋状に突出する部分の外周面を環状に取り囲んでいる。図７のＺ２１部およびＺ２２部に示すように、第１防水部材５の外周面の凸部が筐体１に当接することによって、この部分を水が通ることが遮断されてもよい。
【００２０】
図７に示すように、スイッチ７はドームスイッチであってよい。ここでいうドームスイッチは、たとえばメタルドームスイッチであってもよい。キー部材４が押されて押し子４１が前進することによってスイッチ７は押される。第１防水部材５は、弾性を有していてもよい。第１防水部材５が弾性を有していれば、押し子４１が前進する際には、第１防水部材５の袋状の部分は弾性変形して伸びることができる。図７に示すように、第１防水部材５は、弾性材料によって形成された部分の内部に、弾性材料よりも剛性が高い補強部材５ｒを含んでいてもよい。補強部材５ｒは金属で形成されていてもよい。補強部材５ｒの一部は弾性材料に覆われずに露出していてもよい。
【００２１】
軸部材８は、キー部材４を貫通する状態で筐体１に固定されていてよい。図８に示す例では、軸部材８は、キー部材４の突起４２を貫通する状態で筐体１によって固定されている。軸部材８の下端は筐体１に設けられた穴の中にあり、軸部材８の上端は筐体１から露出するところを封止材１０によって塞がれている。封止材１０は耐水性を有する材料である。封止材１０は、接着剤であってもよい。軸部材８は単純な丸棒であってもよい。ここでは軸部材８がキー部材４とは別の部品である例を示しているが、軸部材とキー部材とは一体化していてもよい。たとえば、軸部材とキー部材とは同一材料によって一体形成されたものであってもよい。
【００２２】
キー部材４および軸部材８のみを取り出したところを図９に示す。図５および図９において矢印９５，９６は、ユーザが電子機器１０１を操作するために押す力を表す。ユーザは、矢印９５，９６の両方に従ってキー部材４の２ヶ所を同時に押すのではなく、ユーザは、矢印９５，９６のいずれか一方に従ってキー部材４の１ヶ所を押すことが予定されている。矢印９５，９６のいずれか一方に従ってキー部材４が押されることによって、キー部材４が回転軸２０の周りに一定角度だけ回動し、対応する側の押し子４１がスイッチ７（図９には示されていない）を押す。図９に示す矢印９５に従ってキー部材４が押された場合は、図中左上の押し子４１が矢印９５ａに示すように前進し、この押し子４１に対向するように配置されているスイッチ７を押す。図９に示す矢印９６に従ってキー部材４が押された場合は、図中右下の押し子４１が矢印９６ａに示すように前進し、この押し子４１に対向するように配置されているスイッチ７を押す。
【００２３】
（作用・効果）
本実施の形態では、キー部材４を筐体１の外側から取り付けることができ、第１防水部材５によって防水を図りつつ軸部材８を利用してキー部材４を回動自在に固定しているので、防水性能をある程度確保しつつ、筐体の限られたスペース内に操作キーが適切に配置された電子機器を実現することができる。
【００２４】
本実施の形態で図８などに示したように、上記１以上の軸部材８の各々の長手方向９７は、上記１以上の押し子４１の進退方向９４に対して垂直となっていてもよい。この構成により、限られたスペースを有効に利用してキー部材を回動させることができ、押し子を効率良く変位させることができる。
【００２５】
本実施の形態で図５、図９などに示したように、押し子４１の数は２つであり、上記貫通孔または上記切欠きの数は１つであり、上記貫通孔または上記切欠きは、２つの押し子４１の間にあってもよい。この構成により、キー部材の回動軸が２つの押し子の間になっているので、キー部材にシーソーのような動きをさせることができる。したがって、２つの押し子のいずれかが選択されて押されることとなる。これを利用して、ある向きの操作と、これと逆向きの操作とを適宜行なうためのボタンを実現することができる。たとえば、電子機器がスピーカを備える場合に、このスピーカの音量を大きくする／小さくするといった選択的操作を行なうためのボタンとしても利用可能である。あるいは、何らかの選択肢の中からいずれを選ぶかに関して、選択肢の順送り／逆送りといった切替えのためのボタンとしても利用可能である。
【００２６】
本実施の形態で図３、図７などに示したように、第１防水部材５は袋状となっており、１以上の押し子４１の各々に第１防水部材５が被せられていてもよい。この構成により、第１防水部材５は押し子４１に対して十分安定して取り付けることができる。
【００２７】
本実施の形態で図８に示したように、軸部材８および筐体１に接するように第２防水部材が配置されていてもよい。図８においては、封止剤１０が第２防水部材に相当する。封止材１０は、軸部材８および筐体１に接している。軸部材８および筐体１に接するように第２防水部材が配置されていれば、電子機器が水にさらされたときに軸部材８の周囲の隙間を通じて筐体１の内側の領域へ水が浸入する確率を低減することができる。
【００２８】
（実施の形態２）
（構成）
図１０〜図１１を参照して、本開示に基づく実施の形態２における電子機器について説明する。図１０に、本実施の形態における電子機器１０２の外観を示す。電子機器１０２の外観は、実施の形態１で示した電子機器１０１の外観と同様であってもよい。電子機器１０１と同様に、電子機器１０２の主表面にはカバーガラス３が配置されていてよい。電子機器１０２は筐体１を備える。図１０におけるＸＩ−ＸＩ線に関する矢視断面図を図１１に示す。
【００２９】
図１１に示すように、電子機器１０２は軸部材８ｉを備える。筐体１は、軸部材８ｉを支持する部分１５を備える。部分１５は平坦な上面を有する。軸部材８ｉの少なくとも一部にネジが設けられており、軸部材８ｉのうちネジが設けられている部分の少なくとも一部が筐体１にねじ込まれている。より具体的には、軸部材８ｉのうちネジが設けられている部分の少なくとも一部は、筐体１の部分１５にねじ込まれている。軸部材８ｉは、ボルトであってもよく、ボルトに類似した物であってもよい。軸部材８ｉは、部分Ａと、部分Ｂと、部分Ｃとを含む。部分Ｃは、軸部材８ｉの頭に相当する部分である。軸部材８ｉのうち部分Ａにネジが設けられている。軸部材８ｉのうち部分Ｂ，Ｃにはネジが設けられていない。部分Ａは筐体１にねじ込まれている。軸部材８ｉの部分Ｃと筐体１の部分１５との間に防水パッキン１１が配置されている。防水パッキン１１は環状の部材であってよい。防水パッキン１１は、弾性材料で形成されていてもよい。図１１に示した例では、防水パッキン１１は部分１５の平坦な上面に押し当てられている。部分１５の上面の形状はここに示したものに限らない。
【００３０】
本実施の形態では、防水パッキン１１が第２防水部材に相当する。本実施の形態で示したように、第２防水部材としての防水パッキン１１は、軸部材８ｉおよび筐体１に接するように配置されていてもよい。
【００３１】
（作用・効果）
本実施の形態では、軸部材８ｉの少なくとも一部にネジが設けられており、軸部材８ｉのうちネジが設けられている部分の少なくとも一部が筐体１にねじ込まれているので、軸部材８ｉは筐体１に対して強固に固定される。軸部材８ｉを筐体１にねじ込んだ後では、軸部材８ｉの姿勢が安定するので、組立作業が容易になる。
【００３２】
本実施の形態では、第２防水部材として封止材１０（図８参照）のようなものではなく、たとえば環状の防水パッキン１１（図１１参照）を使用することも可能となるので、予め単独の部品として第２防水部材を用意しておくことができる。その結果、組立作業が容易となる。
【００３３】
（実施の形態３）
（構成）
図１２を参照して、本開示に基づく実施の形態３における電子機器について説明する。この電子機器の外観は、既に示した電子機器１０１，１０２と同様であってよい。実施の形態２の図１１では断面図を示したが、本実施の形態における電子機器でこれと同様の箇所を切った断面図を図１２に示す。
【００３４】
図１２に示すように、本実施の形態における電子機器は軸部材８ｊを備える。軸部材８ｊは、筐体１は軸部材８ｊを支持する部分１６を備える。部分１６は平坦な上面を有する。軸部材８ｊの上端はカバーガラス３の下面にほぼ達している。軸部材８ｊの上端面は、部分１６の上面と同一面内に位置してもよい。カバーガラス３と筐体１の部分１６の上面との間に防水シート１２が配置されている。防水シート１２は、部分１６の上面だけでなく軸部材８ｊの上端面にも接している。本実施の形態で図１２に示したように、軸部材８ｊおよび筐体１に接するように第２防水部材が配置されていてもよい。本実施の形態では、防水シート１２が第２防水部材に相当する。
【００３５】
防水シート１２は防水性能を有する両面粘着シートであってよい。防水シート１２は筐体１とカバーガラス３との間をつなぎ留める役割を担っている。防水シート１２としては、カバーガラス３と筐体１とを接合するために従来から使用されていた防水性能を有する両面粘着シートを利用してもよい。
【００３６】
（作用・効果）
電子機器が水にさらされたときに、軸部材８ｊの周囲の隙間を通じて筐体１の内側の領域へ水が浸入するかどうかが問題となるが、本実施の形態では、軸部材８ｊがカバーガラス３の下面にまでほぼ達し、この部位に第２防水部材としての防水シート１２が配置されているので、軸部材８ｊの周囲の隙間を通じて筐体１の内側の領域へ水が浸入する確率を低減することができる。本実施の形態では、防水シート１２として、新たなシートを用意しなくても、カバーガラス３と筐体１とを接合するために元々配置されていた防水シートを利用することができるので、部品点数の低減に貢献することができる。
【００３７】
（実施の形態４）
図１３を参照して、本開示に基づく実施の形態４における電子機器について説明する。本実施の形態における電子機器は、基本的には実施の形態１で説明した電子機器１０１と同様の構成であってよいが、以下の点で異なる。
【００３８】
本実施の形態における電子機器は、キー部材４に代えて図１３に示すようなキー部材４ｅを備える。キー部材４ｅは、１つの突起４２と、１つの押し子４１とを備える。押し子４１は１以上であればよいので、本実施の形態で示すように、押し子４１の数が１つであってもよい。突起４２には貫通孔４３が設けられている。貫通孔４３には軸部材８が貫通している。キー部材４ｅは、「１以上の貫通孔または１以上の切欠き」として貫通孔４３を有している。
【００３９】
本実施の形態における電子機器は、キー部材４ｅを用いて押されるべきスイッチとして１つのスイッチ（図示せず）を備える。キー部材４ｅは一方の端に近い位置に軸部材８を保持し、他方の端に近い位置に押し子４１を備える。
【００４０】
（作用・効果）
電子機器は、本実施の形態で示したように、キー部材４ｅを備えるものであってもよい。キー部材４ｅは１つの軸部材８の周りに矢印９０に示すように回動することができるので、押し子４１を前後に変位させることができる。ユーザが矢印９５に示すようにキー部材４ｅを押すことにより、押し子４１は矢印９５ａに示すようにスイッチを押すことができる。図１３には、押し子４１の進退方向９４が示されている。
【００４１】
（実施の形態５）
図１４〜図１８を参照して、本開示に基づく実施の形態５における電子機器について説明する。本実施の形態における電子機器は、基本的には実施の形態１で説明した電子機器１０１と同様の構成であってよいが、以下の点で異なる。実施の形態１における電子機器１０１では、図１４に示すように、キー部材４のいずれかの箇所に突起４２が設けられていて、突起４２に設けられた貫通孔４３に軸部材８が挿入されていた。これはあくまで一例であって、他の採用可能な構造として、本実施の形態で示すようなさまざまな変形例が考えられる。
【００４２】
たとえば図１５に示すように、キー部材４に突起を設けることなく、キー部材４の本体の中に貫通孔４３が設けられていてもよい。こうして、キー部材４の本体のいずれかの箇所に設けられた貫通孔４３に軸部材８が挿入されていてもよい。このような構造であっても、キー部材４の筐体１に対する相対的な変位の一部を制限することができる。
【００４３】
たとえば図１６に示すように、電子機器は、キー部材４に代えてキー部材４ｊを備えてもよい。キー部材４ｊには突起４２ｊが設けられている。突起４２ｊは「１以上の貫通孔または１以上の切欠き」として、切欠き４４ｊを有する。切欠き４４ｊ内に軸部材８が配置されている。このような構造であっても、キー部材４ｊの筐体１に対する相対的な変位の一部を制限することができる。
【００４４】
たとえば図１７に示すように、電子機器は、キー部材４に代えてキー部材４ｋを備えてもよい。キー部材４ｋには突起４２ｋが設けられている。突起４２ｋは「１以上の貫通孔または１以上の切欠き」として、切欠き４４ｋを有する。切欠き４４ｋは、出口に近い側では軸部材８の直径より狭い幅のストレートな切欠きとなっており、出口から遠い側では軸部材８を収容可能な直径の円形の切欠き部分を含んでいる。この円形の切欠き部分に軸部材８が嵌め込まれている。このような構造であっても、キー部材４ｊの筐体１に対する相対的な変位の一部を制限することができる。
【００４５】
たとえば図１８に示すように、電子機器は、キー部材４に代えてキー部材４ｎを備えてもよい。キー部材４ｎには突起４２ｎが設けられている。突起４２ｎは「１以上の貫通孔または１以上の切欠き」として、貫通孔４３ｎを有する。貫通孔４３ｎは長穴となっている。貫通孔４３ｎに軸部材８が挿入されている。貫通孔４３ｎの幅は軸部材８の直径以上となっていてよい。貫通孔４３ｎの長さは軸部材８の直径より大きくてよい。軸部材８は貫通孔４３ｎの内部で貫通孔４３ｎの長手方向に沿って相対的に変位可能となっている。
【００４６】
ここでキー部材および軸部材に関連するいくつかの変形例について示したが、電子機器においては、このような構造を組み合わせて採用してもよい。
【００４７】
（実施の形態６）
図１９を参照して、本開示に基づく実施の形態６における電子機器について説明する。本実施の形態における電子機器は、基本的には実施の形態１で説明した電子機器１０１と同様の構成であってよいが、以下の点で異なる。
【００４８】
本実施の形態における電子機器は、キー部材４に代えてキー部材４ｘを備える。キー部材４ｘは、２つの突起４２ｎと１つの押し子４１とを備える。２つの突起４２ｎの間に１つの押し子４１が配置されている。突起４２ｎの各々は貫通孔４３ｎを有する。キー部材４ｘは、２つの貫通孔４３ｎを有する。貫通孔４３ｎの各々には、軸部材８が挿入されている。
【００４９】
本実施の形態における電子機器では、ユーザが矢印９５に示すようにキー部材４ｘを押すことにより、２つの貫通孔４３ｎ内で軸部材８が相対的に移動することにより、キー部材４ｘがほぼ平行移動することができる。矢印９５に示すようにユーザがキー部材４ｘを押したときには、押し子４１は矢印９５ａに示すように前進してスイッチを押すことができる。図１９には、押し子の進退方向９８が示されている。
【００５０】
これまでに述べたいくつかの実施の形態においてもあてはまることであるが、図２０に示すように、筐体１は、単一部品によって構成されていてもよい。図２０に示した例では、筐体１は容器のような形状を有していて、一方の主表面に対応する側に開口部１ｆを有する。カバーガラス３が開口部１ｆを覆うことによって、筐体１の内部空間１ｈがほぼ閉鎖される。内部空間１ｈには、各種部品が配置されてよい。図２０では、説明の便宜のために内部空間１ｈに配置されているものは図示省略している。図２０では、キー部材、スイッチなどを図示していないが、この筐体１のいずれかの箇所にキー部材を配置するための開口部１ａが設けられていてよい。筐体１の側面のいずれかの箇所にキー部材を用いて操作ボタンが構成されていてよい。
【００５１】
筐体１が単一部品によって薄く形成されている場合には、特に操作ボタンを設けるためのスペースが狭く限られているので、これまでに述べたような実施の形態を採用して操作キーを配置すれば、コンパクトに操作ボタンを実現することができる。図１に示したように、筐体１が単一部品からなる薄い板状の部材であって、操作ボタンを筐体１の側面に設けられてもよい。
【００５２】
筐体１は、単一部品とは限らず、複数の部品の組合せによって構成されていてもよい。
なお、上記実施の形態のうち複数を適宜組み合わせて採用してもよい。
【００５３】
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００５４】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００５５】
１  筐体、１ａ  開口部、１ｂ  （軸部材を受け入れるための）切欠き、１ｃ  受入れ穴、１ｆ  開口部、２  インナーシャーシ、３  カバーガラス、４，４ｉ，４ｊ，４ｋ，４ｎ，４ｘ  キー部材、５  第１防水部材、５ｒ  補強部材、６  フレキシブル基板、７  スイッチ、８，８ｉ，８ｊ  軸部材、９  ディスプレイ、１０  封止材、１１  防水パッキン、１２  防水シート、１５，１６  （筐体が軸部材を支持する）部分、２０  回転軸、４１  押し子、４２，４２ｊ，４２ｋ，４２ｎ  突起、４３，４３ｎ  貫通孔、４４ｊ，４４ｋ  切欠き、９０  （キー部材の回動を示す）矢印、９１，９２，９３  矢印、９４，９８  （押し子の）進退方向、９５，９６  （ユーザが押す力を表す）矢印、９５ａ，９６ａ  （押し子が押す動きを表す）矢印、９７  （軸部材の）長手方向、１０１  電子機器。
【図１】
0006267256.tif 000002
【図２】
0006267256.tif 000003
【図３】
0006267256.tif 000004
【図４】
0006267256.tif 000005
【図５】
0006267256.tif 000006
【図６】
0006267256.tif 000007
【図７】
0006267256.tif 000008
【図８】
0006267256.tif 000009
【図９】
0006267256.tif 000010
【図１０】
0006267256.tif 000011
【図１１】
0006267256.tif 000012
【図１２】
0006267256.tif 000013
【図１３】
0006267256.tif 000014
【図１４】
0006267256.tif 000015
【図１５】
0006267256.tif 000016
【図１６】
0006267256.tif 000017
【図１７】
0006267256.tif 000018
【図１８】
0006267256.tif 000019
【図１９】
0006267256.tif 000020
【図２０】
0006267256.tif 000021